【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
樹脂、顔料、および顔料分散剤を含むトナー粒子を含むトナーであって、
前記樹脂が、酸価が２．０ｍｇＫＯＨ／ｇ以上３０．０ｍｇＫＯＨ／ｇ以下である極性樹脂を含有し、
前記顔料分散剤が、
下記式（１）で示される構造又はその互変異性体と、
ポリマー部と
を有する
ことを特徴とするトナー。
【化１】
2017049404.tif 000001
（式（１）中、
Ｘ、Ｙ及びＺは、それぞれ独立に、−Ｏ−、メチレン基、又は、−ＮＲ４−を示す。Ｒ４は、水素原子、又は、炭素数１〜４の直鎖若しくは分岐のアルキル基を示す。Ｒ１は、置換若しくは無置換のフェニル基、多環芳香族基、又は、複素環基を示す。Ｒ２は、水素原子、置換若しくは無置換のフェニル基、アラルキル基、炭素数１〜１８の直鎖、分岐若しくは環状のアルキル基、又は、炭素数１〜１８のアルキル基の主鎖中のメチレン基がエーテル結合、エステル結合若しくはアミド結合に置き換えて導かれる１価の基を示す。
Ｒ３は、置換若しくは無置換のフェニレン基、炭素数１〜１８の直鎖、分岐若しくは環状のアルキレン基、又は、炭素数１〜１８のアルキレン基の主鎖中のメチレン基がエーテル結合、エステル結合若しくはアミド結合に置き換えて導かれる２価の基を示す。
Ｗは、ポリマー部との連結基を示す。
前記置換フェニル基の置換基、及び、前記置換フェニレン基の置換基は、それぞれ独立に、メチル基、メトキシ基、ヒドロキシ基、ニトロ基、クロロ基、カルボキシ基、アミノ基、ジメチルアミノ基、カルボン酸アミド基、又は、ウレイド基である。
前記多環芳香族基は、ナフタレン、アントラセン、フェナントレン又はアントラキノンから水素原子１つを除いて導かれる基である。
前記複素環基は、イミダゾール、オキサゾール、チアゾール、ピリジン、インドール、ベンズイミダゾール、ベンズイミダゾリノン又はフタルイミドから水素原子１つを除いて導かれる基である。）
【請求項２】
前記式（１）で示される構造が、下記式（２）で示される構造又はその互変異性体である請求項１に記載のトナー。
【化２】
2017049404.tif 000002
（式（２）中、
Ｙ２は、−Ｏ−、メチレン基、又は、−ＮＨ−を示す。
Ｒ６は、水素原子、置換若しくは無置換のフェニル基、アラルキル基、又は、炭素数１〜１８の直鎖若しくは分岐のアルキル基を示す。
Ｒ５は、置換又は無置換のフェニル基、多環芳香族基、若しくは、複素環基を示す。Ｒ７は、炭素数１〜８の直鎖又は分岐のアルキレン基、炭素数１〜８のアルキレン基の主鎖中のメチレン基がエーテル結合、エステル結合又はアミド結合に置き換えて導かれる２価の基、若しくは置換又は無置換のフェニレン基を示す。
Ｗ２は、ポリマー部との連結基を示し、前記連結基は、エステル結合又はアミド結合である。
前記置換フェニル基の置換基、前記置換フェニレン基の置換基は、メチル基、メトキシ基、ヒドロキシ基、ニトロ基、クロロ基、カルボキシ基、アミノ基、ジメチルアミノ基、カルボン酸アミド基又はウレイド基である。
前記多環芳香族基は、ナフタレン、アントラセン、フェナントレン又はアントラキノンから水素原子１つ除いて導かれる基である。
前記複素環基は、イミダゾール、オキサゾール、チアゾール、ピリジン、インドール、ベンズイミダゾール、ベンズイミダゾリノン又はフタルイミドから水素原子１つ除いて導かれる基である。）
【請求項３】
前記式（２）で示される構造が、下記式（３）で示される構造又はその互変異性体である請求項２に記載のトナー。
【化３】
2017049404.tif 000003
（式（３）中、
Ｒ８は、炭素数１〜１２のアルキル基、又は、ベンジル基を示す。
Ｒ９は、炭素数２〜４のアルキレン基を示す。
Ｗ３は、ポリマー部との連結基を示し、前記連結基は、エステル結合又はアミド結合である。）
【請求項４】
前記顔料に対する前記顔料分散剤の吸着率が、８０．０％以上である請求項１〜３のいずれか１項に記載のトナー。
（前記吸着率は、スチレンとｎ‐ブチルアクリレートを質量比４：１で混合した溶媒２０質量部、前記顔料分散剤０．１質量部、及び前記顔料１．０質量部を混合したときの、前記顔料に対する前記顔料分散剤の吸着率を示す。）
【請求項５】
前記顔料分散剤の含有量が、前記顔料に対して、１．０質量％以上５０．０質量％以下である請求項１〜４のいずれか１項に記載のトナー。
【請求項６】
前記顔料分散剤の重量平均分子量が、１０，０００以上５０，０００以下である請求項１〜５のいずれか１項に記載のトナー。
【請求項７】
前記極性樹脂の酸価が、５．０ｍｇＫＯＨ／ｇ以上２０．０ｍｇＫＯＨ／ｇ以下である請求項１〜６のいずれか１項に記載のトナー。
【請求項８】
前記極性樹脂の含有量が、前記樹脂の全質量に対して、０．１質量％以上３０．０質量％以下である請求項１〜７のいずれか１項に記載のトナー。
【請求項９】
前記極性樹脂が、ポリエステル樹脂又はビニル系樹脂である請求項１〜８のいずれか１項に記載のトナー。
【請求項１０】
前記ポリマー部が、ビニル系共重合体構造又はポリエステル構造を有する請求項１〜９のいずれか１項に記載のトナー。
【請求項１１】
請求項１〜１０のいずれか１項に記載のトナーを製造するトナーの製造方法であって、水系媒体中で造粒して粒子を形成することにより前記トナー粒子を得る工程を有することを特徴とするトナーの製造方法。
【手続補正２】
【補正対象書類名】明細書
【補正対象項目名】０００８
【補正方法】変更
【補正の内容】
【０００８】
本発明は、
樹脂、顔料、および顔料分散剤を含むトナー粒子を含むトナーであって、
前記樹脂が、酸価が２．０ｍｇＫＯＨ／ｇ以上３０．０ｍｇＫＯＨ／ｇ以下である極性樹脂を含有し、
前記顔料分散剤が、
下記式（１）で示される構造又はその互変異性体と、
ポリマー部と
を有する
ことを特徴とするトナーに関する。
【手続補正３】
【補正対象書類名】明細書
【補正対象項目名】００１０
【補正方法】変更
【補正の内容】
【００１０】
（式（１）中、
Ｘ、Ｙ及びＺは、それぞれ独立に、−Ｏ−、メチレン基、又は、−ＮＲ４−を示す。Ｒ４は、水素原子、又は、炭素数１〜４の直鎖若しくは分岐のアルキル基を示す。Ｒ１は、置換若しくは無置換のフェニル基、多環芳香族基、又は、複素環基を示す。Ｒ２は、水素原子、置換若しくは無置換のフェニル基、アラルキル基、炭素数１〜１８の直鎖、分岐若しくは環状のアルキル基、又は、炭素数１〜１８のアルキル基の主鎖中のメチレン基がエーテル結合、エステル結合若しくはアミド結合に置き換えて導かれる１価の基を示す。
Ｒ３は、置換若しくは無置換のフェニレン基、炭素数１〜１８の直鎖、分岐若しくは環状のアルキレン基、又は、炭素数１〜１８のアルキレン基の主鎖中のメチレン基がエーテル結合、エステル結合若しくはアミド結合に置き換えて導かれる２価の基を示す。
Ｗは、ポリマー部との連結基を示す。
前記置換フェニル基の置換基、及び、前記置換フェニレン基の置換基は、それぞれ独立に、メチル基、メトキシ基、ヒドロキシ基、ニトロ基、クロロ基、カルボキシ基、アミノ基、ジメチルアミノ基、カルボン酸アミド基、又は、ウレイド基である。
前記多環芳香族基は、ナフタレン、アントラセン、フェナントレン又はアントラキノンから水素原子１つを除いて導かれる基である。
前記複素環基は、イミダゾール、オキサゾール、チアゾール、ピリジン、インドール、ベンズイミダゾール、ベンズイミダゾリノン又はフタルイミドから水素原子１つを除いて導かれる基である。）
【手続補正４】
【補正対象書類名】明細書
【補正対象項目名】００２０
【補正方法】変更
【補正の内容】
【００２０】
（式（１）中、
Ｘ、Ｙ及びＺは、それぞれ独立に、−Ｏ−、メチレン基、又は、−ＮＲ４−を示す。Ｒ４は、水素原子、又は、炭素数１〜４の直鎖若しくは分岐のアルキル基を示す。Ｒ１は、置換若しくは無置換のフェニル基、多環芳香族基、又は、複素環基を示す。Ｒ２は、水素原子、置換若しくは無置換のフェニル基、アラルキル基、炭素数１〜１８の直鎖、分岐若しくは環状のアルキル基、又は、炭素数１〜１８のアルキル基の主鎖中のメチレン基がエーテル結合、エステル結合若しくはアミド結合に置き換えて導かれる１価の基を示す。
Ｒ３は、置換若しくは無置換のフェニレン基、炭素数１〜１８の直鎖、分岐若しくは環状のアルキレン基、又は、炭素数１〜１８のアルキレン基の主鎖中のメチレン基がエーテル結合、エステル結合若しくはアミド結合に置き換えて導かれる２価の基を示す。
Ｗは、ポリマー部との連結基を示す。
前記置換フェニル基の置換基、及び、前記置換フェニレン基の置換基は、それぞれ独立に、メチル基、メトキシ基、ヒドロキシ基、ニトロ基、クロロ基、カルボキシ基、アミノ基、ジメチルアミノ基、カルボン酸アミド基、又は、ウレイド基である。
前記多環芳香族基は、ナフタレン、アントラセン、フェナントレン又はアントラキノンから水素原子１つを除いて導かれる基である。
前記複素環基は、イミダゾール、オキサゾール、チアゾール、ピリジン、インドール、ベンズイミダゾール、ベンズイミダゾリノン又はフタルイミドから水素原子１つを除いて導かれる基である。）
【手続補正５】
【補正対象書類名】明細書
【補正対象項目名】００２９
【補正方法】変更
【補正の内容】
【００２９】
（式（２）中、
Ｙ２は、−Ｏ−、メチレン基、又は、−ＮＨ−を示す。
Ｒ６は、水素原子、置換若しくは無置換のフェニル基、アラルキル基、又は、炭素数１〜１８の直鎖若しくは分岐のアルキル基を示す。
Ｒ５は、置換又は無置換のフェニル基、多環芳香族基、若しくは、複素環基を示す。Ｒ７は、炭素数１〜８の直鎖又は分岐のアルキレン基、炭素数１〜８のアルキレン基の主鎖中のメチレン基がエーテル結合、エステル結合又はアミド結合に置き換えて導かれる２価の基、若しくは置換又は無置換のフェニレン基を示す。
Ｗ２は、ポリマー部との連結基を示し、前記連結基は、エステル結合又はアミド結合である。
前記置換フェニル基の置換基、前記置換フェニレン基の置換基は、メチル基、メトキシ基、ヒドロキシ基、ニトロ基、クロロ基、カルボキシ基、アミノ基、ジメチルアミノ基、カルボン酸アミド基又はウレイド基である。
前記多環芳香族基は、ナフタレン、アントラセン、フェナントレン又はアントラキノンから水素原子１つ除いて導かれる基である。
前記複素環基は、イミダゾール、オキサゾール、チアゾール、ピリジン、インドール、ベンズイミダゾール、ベンズイミダゾリノン又はフタルイミドから水素原子１つ除いて導かれる基である。）
【手続補正６】
【補正対象書類名】明細書
【補正対象項目名】００３５
【補正方法】変更
【補正の内容】
【００３５】
（式（３）中、
Ｒ８は、炭素数１〜１２のアルキル基、又は、ベンジル基を示す。
Ｒ９は、炭素数２〜４のアルキレン基を示す。
Ｗ３は、ポリマー部との連結基を示し、前記連結基は、エステル結合又はアミド結合である。）
Ｒ９を炭素数２〜４のアルキレン基にすると、顔料吸着部位は良好な溶解性を示すため、顔料吸着部位の凝集を抑制し、着色力が向上しやすい。